【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
ワイヤーライン通信システムのデータ信号を受信するように結合された受信機と、
前記データ信号を受信しないように結合され、前記受信されたデータ信号に影響するノイズを表すセンサ信号を生成するように構成されたセンサと、
前記センサ信号に基づいて、前記受信されたデータ信号に影響するインパルスノイズをキャンセルするインパルスノイズキャンセラとを備える装置。
【請求項２】
前記センサは、前記データ信号を備える差分モード信号に対応する共通モード信号を受信するように構成される請求項１に記載の装置。
【請求項３】
前記受信機は、前記ワイヤーライン通信システムのツイストペアラインに結合され、前記センサは、前記ワイヤーライン通信システムの未使用のツイストペアラインに結合される請求項１に記載の装置。
【請求項４】
前記センサは、前記ワイヤーライン通信システムから離れた電力線に結合される請求項１に記載の装置。
【請求項５】
前記受信機は、前記データ信号のシンボルに関連する値を決定するためのスライサーを含み、ここにおいて、前記インパルスノイズキャンセラは、前記スライサーのスライサーエラーに基づいて調整される請求項１に記載の装置。
【請求項６】
前記データ信号は、複数のトーンを備え、ここにおいて、前記インパルスノイズキャンセラは、前記複数のトーンのそれぞれで独立してノイズをキャンセルする請求項１に記載の装置。
【請求項７】
前記インパルスノイズキャンセラは、前記複数のトーンのそれぞれに対して係数を含み、前記インパルスノイズキャンセラは、前記インパルスノイズの期間の選択された部分の間に、最適化プロセスで調整される係数を含む請求項６に記載の装置。
【請求項８】
前記最適化プロセスは、前記センサ信号に対応するＦＦＴ出力で計算されたＭＭＳＥ基準を備える請求項７に記載の装置。
【請求項９】
前記受信機は、前記データ信号のシンボルに関連する値を決定するためのスライサーを含み、ここにおいて、最適化プロセスは、前記スライサーに関連するスライサーエラーに対して計算されたＭＭＳＥ基準を備える請求項７に記載の装置。
【請求項１０】
前記部分の選択は、所与のしきい値と比較して、有用信号電力対瞬間ノイズ電力比（ＵＩＮＲ）に基づいて決定されるか、または、所与のしきい値に対する前記インパルスノイズの予測された瞬時電力に基づいて決定される請求項７に記載の装置。
【請求項１１】
前記部分の選択は、前記受信機または前記センサによって観察される前記インパルスノイズの特性に基づいて決定されるか、または、前記係数の推定の絶対値をかけ、最小距離と比較したＦＦＴ出力で取得された前記センサ信号の絶対値に基づいて決定される請求項７に記載の装置。
【請求項１２】
前記インパルスノイズキャンセラは、条件付きアプリケーションプロセスに基づいて、前記インパルスノイズの期間の間に条件付きで適用される請求項１に記載の装置。
【請求項１３】
ワイヤーライン通信システムのデータ信号を受信することと、
前記データ信号を受信しないように結合されたセンサによって、前記受信されたデータ信号に影響するノイズを表すセンサ信号を生成することと、
前記センサ信号に基づいて、前記受信されたデータ信号に影響するインパルスノイズをキャンセルすることとを備える方法。
【請求項１４】
前記データ信号は、複数のトーンを備え、ここにおいて、キャンセルは、前記複数のトーンのそれぞれで独立してノイズをキャンセルすることを含む請求項１３に記載の方法。
【請求項１５】
前記インパルスノイズの期間の間に最適化プロセスでキャンセルの間に使用される係数を調整することをさらに含み、前記係数の調整は、前記インパルスノイズの前記期間の部分で選択的に実行される請求項１３に記載の方法。
【手続補正２】
【補正対象書類名】明細書
【補正対象項目名】０１２７
【補正方法】変更
【補正の内容】
【０１２７】
本発明について、その好ましい実施形態に関して特に記述してきたが、本発明の精神および範囲から逸脱することなく、形態と詳細とにおいて変更および修正が可能であることは、当業者には明白であろう。添付した請求項は、そのような変更および修正を包含することを意図するものである。
以下に、本願出願時の特許請求の範囲に記載された発明を付記する。
［１］ワイヤーライン通信システムのデータ信号を受信するように結合された受信機と、
前記データ信号を受信しないように結合され、前記受信されたデータ信号に影響するノイズを表すセンサ信号を生成するように構成されたセンサと、
前記センサ信号に基づいて、前記受信されたデータ信号に影響するインパルスノイズをキャンセルするインパルスノイズキャンセラとを備える装置。
［２］前記センサは、前記データ信号を備える差分モード信号に対応する共通モード信号を受信するように構成される［１］に記載の装置。
［３］前記受信機は、前記ワイヤーライン通信システムのツイストペアラインに結合され、前記センサは、前記ワイヤーライン通信システムの未使用のツイストペアラインに結合される［１］に記載の装置。
［４］前記センサは、前記ワイヤーライン通信システムから離れた電力線に結合される［１］に記載の装置。
［５］前記受信機は、前記データ信号のシンボルに関連する値を決定するためのスライサーを含み、ここにおいて、前記インパルスノイズキャンセラは、前記スライサーのスライサーエラーに基づいて調整される［１］に記載の装置。
［６］前記データ信号は、複数のトーンを備え、ここにおいて、前記インパルスノイズキャンセラは、前記複数のトーンのそれぞれで独立してノイズをキャンセルする［１］に記載の装置。
［７］前記インパルスノイズキャンセラは、前記複数のトーンのそれぞれに対して係数を含む［６］に記載の装置。
［８］前記インパルスノイズキャンセラは、前記インパルスノイズの期間の間に、最適化プロセスで調整される係数を含む［１］に記載の装置。
［９］前記最適化プロセスは、前記センサ信号に対応するＦＦＴ出力で計算されたＭＭＳＥ基準を備える［８］に記載の装置。
［１０］前記受信機は、前記データ信号のシンボルに関連する値を決定するためのスライサーを含み、ここにおいて、最適化プロセスは、前記スライサーに関連するスライサーエラーに対して計算されたＭＭＳＥ基準を備える［８］に記載の装置。
［１１］前記係数の調整は、前記インパルスノイズの前記期間の部分で選択的に実行される［８］に記載の装置。
［１２］前記部分の選択は、所与のしきい値と比較して、有用信号電力対瞬間ノイズ電力比（ＵＩＮＲ）に基づいて決定される［１１］に記載の装置。
［１３］前記部分の選択は、所与のしきい値に対する前記インパルスノイズの予測された瞬時電力に基づいて決定される［１１］に記載の装置。
［１４］前記部分の選択は、前記係数の推定の絶対値をかけ、最小距離と比較したＦＦＴ出力で取得された前記センサ信号の絶対値に基づいて決定される［１１］に記載の装置。
［１５］前記部分の選択は、前記受信機または前記センサによって観察される前記インパルスノイズの特性に基づいて決定される［１１］に記載の装置。
［１６］前記インパルスノイズキャンセラは、条件付きアプリケーションプロセスに基づいて、前記インパルスノイズの期間の間に条件付きで適用される［１］に記載の装置。
［１７］ワイヤーライン通信システムのデータ信号を受信することと、
前記データ信号を受信しないように結合されたセンサによって、前記受信されたデータ信号に影響するノイズを表すセンサ信号を生成することと、
前記センサ信号に基づいて、前記受信されたデータ信号に影響するインパルスノイズをキャンセルすることとを備える方法。
［１８］前記データ信号は、複数のトーンを備え、ここにおいて、キャンセルは、前記複数のトーンのそれぞれで独立してノイズをキャンセルすることを含む［１７］に記載の方法。
［１９］前記インパルスノイズの期間の間に最適化プロセスでキャンセルの間に使用される係数を調整することをさらに含む［１７］に記載の方法。
［２０］前記係数の調整は、前記インパルスノイズの前記期間の部分で選択的に実行される［１９］に記載の装置。